(57)【要約】【課題】接着が良好に行え、且つ、多様な模様を提供することができる、外観が美しいネイル用装飾物を提供する。【解決手段】ネイル用装飾物（６００）は装飾体（符号無し）を含めて構成されており、該装飾体の背面には屈曲面が形成され、該装飾体の前面には印刷層（６１０）が形成されている。このネイル用装飾物（６００）は屈曲面を利用して付け爪（５００）または使用者の手の爪または足の爪等への接着を良好に行うことができ、印刷層（６１０）によって多様な模様を提供することができ、美しい外観が得られる。【選択図】図２
2008073502.tif 000002
【特許請求の範囲】
【請求項１】
装飾体を含めて構成され、該装飾体の背面には屈曲面が形成され、該装飾体の前面には印刷層が形成されている、
ことを特徴とするネイル用装飾物。
【請求項２】
前記装飾体の屈曲面には凹凸部が形成されている、
ことを特徴とする請求項１に記載のネイル用装飾物。
【請求項３】
前記装飾体の前面には人工宝石が設置されている、
ことを特徴とする請求項１または２に記載のネイル用装飾物。
【発明の詳細な説明】
【技術分野】
【０００１】
本発明は、装飾体を含むネイル用装飾物に関する。
【背景技術】
【０００２】
付け爪上に立体的な形状（３次元形状）の加工品である立体装飾を付けて付け爪の外観を更に強調したネイル用装飾物は大韓民国登録実用３５０２３６号に開示されている。
【特許文献１】大韓民国登録実用３５０２３６号
【特許文献２】大韓民国登録実用５２９００号
【発明の開示】
【発明が解決しようとする課題】
【０００３】
従来の立体装飾は作られた時にすでに色が決定されるため使用者が所望する色に変えることができない。また、変えるためには再びスプレー等を使用して色を塗る工程が追加されるようになる。
【０００４】
また、従来の立体装飾は底面が平面であるため曲線形状の付け爪上に付着させることが容易ではない。しかも、底面が平面であるため付着時に接着剤が流れ落ち易く、立体装飾の正確な位置を取りづらい。
【０００５】
さらに、従来は付け爪を立体的に装飾するために付け爪金型を製造する時に該金型に突出部を形成し、付け爪形成時に立体的な装飾が形成されるようにしている。
【０００６】
しかし、このような方式は付け爪の色と突出した立体装飾部分の色が同一で、材質も同一であり、外観を美しくすることができない。また、このような立体装飾部分に異なる色を上塗りするために、色を上塗りする作業が追加されなければならず、このような作業は容易ではない。さらに、立体装飾部分の形状を変えるためには、場合によって金型の形状も変えなければならないため、これにより多くの費用が必要となる。さらにまた、複雑な形状にはできず、簡単な形状にのみ製作することができるという制限要素がある。
【０００７】
本発明は前述の事情に鑑みて創作されたもので、その目的とするところは、接着が良好に行え、且つ、多様な模様を提供することができる、外観が美しいネイル用装飾物を提供するにある。
【課題を解決するための手段】
【０００８】
前記目的を達成するため、本発明のネイル用装飾物は、装飾体を含めて構成され、該装飾体の背面には屈曲面が形成され、該装飾体の前面には印刷物が形成されている、ことをその特徴とする。
【０００９】
このネイル用装飾物によれば、装飾体の背面に屈曲面が形成され、該装飾体の前面に印刷層が形成されているので、屈曲面を利用して付け爪または使用者の手の爪または足の爪等への接着を良好に行うことができ、印刷層によって多様な模様を提供することができ、美しい外観が得られる。
【発明の効果】
【００１０】
本発明によれば、接着が良好に行え、且つ、多様な模様を提供することができる、外観が美しいネイル用装飾物を提供できる。
【００１１】
本発明の前記目的とそれ以外の目的と、構成特徴と、作用効果は、以下の説明と添付図面によって明らかとなる。
【発明を実施するための最良の形態】
【００１２】
以下、本発明の実施形態を添付図面を参照して詳細に説明する。尚、以下で説明する構成のうち従来技術と同一な構成は前述した従来技術を参考にしたものであるためその説明を省略する。
【００１３】
図１はネイル用装飾物が設けられた付け爪の斜視図であり、図２は図１のＡ‐Ａ線断面図である。
【００１４】
図１および図２に示すように、ネイル用装飾物（６００）は装飾体（符号無し）を含めて構成されており、該装飾体の背面には屈曲面が形成され、該装飾体の前面には印刷層（６１０）が形成されている。このネイル用装飾物（６００）の装飾体はボリューム感が出るように立体的に形成されていて、付け爪（５００）または使用者の手の爪または足の爪等に接着して使用される。尚、付け爪（５００）の上面にもパッドまたはプリンティング方式で印刷層を形成することができる。
【００１５】
ネイル用装飾物（６００）の屈曲面は自然爪または付け爪の上面に対応するように上側に膨らむように形成されているため、接着が容易となり接着剤が流れ出ることなく、汚染されず、自然爪または付け爪（５００）に密着されて接着力が良く、装飾物（６００）の位置を容易に設定することができる。また、ネイル用装飾物（６００）の屈曲面には凹凸部が形成されているため、凹部面に接着剤またはグルー（ｇｌｕｅ）が含有されることにより自然爪または付け爪に強力に接着され、従って接着の際に接着剤またはグルーが外部に流れ出ないようにすることができる。
【００１６】
印刷層（６１０）は装飾体をスチール金型またはシリコン金型によって製造した後、該装飾体の前面に形成される。この印刷層（６１０）はパッドまたはシルクスクリーン方式で製造することができる。シルクスクリーン印刷方式は大韓民国登録実用５２９００号に開示さているため詳しい事項はこれを参考することにする。
【００１７】
パッド方式は、待機部に位置したインクつぼを印刷溝側に移動させ、印刷溝にインクを挿入した後、インクつぼを再び待機部側に移動させると同時にドクターブレードを介してインクが印刷溝にのみ残るようにクラッチ板上面を拭き取る。次に、印刷溝のインクをピックアップするように印刷パッドを下降させ、印刷パッドをクラッチ板の印刷溝側に加圧させる。その後、装飾台上部に保有された装飾体の上面にインクが残るように印刷パッドを移動させ、装飾体上面に加圧させて装飾体の前面に印刷層（６１０）を形成する。
【００１８】
このようにして印刷層（６１０）を形成すると多様な模様を提供することができ、装飾効果を極大化することができ、１種類の模様を有するネイル用装飾物（６００）を少量生産および大量生産することができる。また、前記装飾体の前面で印刷層（６１０）上部または印刷層（６１０）が形成されていない部分に人工宝石を設置することもできる。このように人工宝石が設置される場合は、前記装飾体の前面に該人工宝石が安着することができる安着溝が形成される。このような人工宝石により外観を更に美しくすることができる。
【００１９】
前述のネイル用装飾物（６００）によれば、装飾体の背面に屈曲面が形成され、該装飾体の前面に印刷層（６１０）が形成されているので、屈曲面を利用して付け爪（５００）または使用者の手の爪または足の爪等への接着を良好に行うことができ、印刷層（６１０）によって多様な模様を提供することができ、美しい外観が得られる。
【００２０】
また、前記屈曲面は自然爪または付け爪の上面に対応するように上側に膨らむように形成されているため、接着が容易となり接着剤が流れ出ることなく、汚染されず、自然爪または付け爪（５００）に密着されて接着力が良く、装飾物（６００）の位置を容易に設定することができる。
【００２１】
さらに、前記屈曲面には凹凸部が形成されているので、凹部面に接着剤またはグルー（ｇｌｕｅ）が含有されることにより、自然爪または付け爪に強力に接着させることができ、接着剤またはグルーが外部に流れ出ないようにできる。
【００２２】
さらにまた、スチール金型またはシリコン金型によって装飾体を別途に製造し、多様な形状を製造することができるようになり、装飾効果を極大化することができる。また、少量生産および大量生産が可能な利点がある。
【００２３】
さらにまた、前記装飾体の前面には人工宝石が設置することにより外観を更に美しくすることができるという利点がある。
【００２４】
以上、本発明の実施形態について説明したが、当業者であれば特許請求の範囲に記載された本発明の思想および領域から外れない範囲内で本発明を多様に修正または変形し実施できることは言うまでもない。
【図面の簡単な説明】
【００２５】
【図１】ネイル用装飾物が設けられた付け爪の斜視図である。
【図２】図１のＡ‐Ａ線断面図である。
【符号の説明】
【００２６】
５００…付け爪、６００…ネイル用装飾物、６１０…印刷層。
【図１】
2008073502.tif 000003
【図２】
2008073502.tif 000004